(57)【要約】      （修正有）【課題】シリンジを流体注入器と係合および離脱させるための係止機構を備えた医療用流体注入器を提供する。【解決手段】流体注入器は、シリンジ１２を受容するための少なくとも１つのシリンジポート１６を有する注入器ハウジングと、少なくとも１つのシリンジポート内でシリンジを固定するための、少なくとも１つのシリンジポートに関連付けられた係止機構３５とを備え、係止機構は、少なくとも１つのシリンジポート内でシリンジを解放可能に係止するために、シリンジの少なくとも１つのシリンジ保持部材を係合するように構成されている。少なくとも１つのシリンジ保持部材は、係止機構との自己配向アライメントに向けてシリンジを回転的に案内し、少なくとも１つのシリンジポート内へのシリンジの軸方向の実装の後に完全な係止位置まで係止機構によって回転させられる。【選択図】図３
2019130312.tif 000002
【特許請求の範囲】
【請求項１】
医療用流体注入器であって、
注入器ハウジングと、
シリンジの近位部分を受容するための前記注入器ハウジング内の少なくとも1つのシリンジポートと、
前記シリンジの少なくとも1つのシリンジ保持部材を解放可能に係合することによって前記少なくとも1つのシリンジポート内の前記シリンジを解放可能に係止するために前記少なくとも1つのシリンジポートに関連付けられた係止機構と、
を備え、前記係止機構は、
第1係止位置と、前記シリンジの挿入および前記係止機構からの取り外しのための第2挿入／取り外し位置との間で回転可能な係止リングと、
前記係止リングを前記第1係止位置で付勢するための、付勢機構と、
前記係止リング上の少なくとも1つの案内第2部材であって、前記少なくとも1つの案内第2部材は、前記シリンジが前記少なくとも1つのシリンジポートに挿入される際に前記第1係止位置から前記第2挿入／取り外し位置まで前記係止リングを回転させるために前記シリンジの前記少なくとも1つのシリンジ保持部材と相互作用するための、ランプ表面を有する、前記少なくとも1つの案内第2部材と、
を備える、医療用流体注入器。
【請求項２】
前記係止リング上の前記少なくとも1つの案内第2部材は、前記シリンジが前記係止機構内の係止位置にある間に回転したときに前記第1係止位置から前記第2挿入／取り外し位置に前記係止リングを回転させるために、前記シリンジの前記少なくとも1つのシリンジ保持部材と相互作用する、請求項1に記載の医療用流体注入器。
【請求項３】
前記少なくとも1つの第2案内部材のランプ表面は、前記シリンジの前記少なくとも1つのシリンジ保持部材と相互作用し、前記係止リングが回転して前記第2挿入／取り外し位置になったときに前記係止位置から前記シリンジを軸方向に排出させる、請求項2に記載の医療用流体注入器。
【請求項４】
前記係止リングは、前記ランプ表面の近位端から前記係止リングの遠位面まで少なくとも部分的に延在する停止表面をさらに備え、前記停止表面は、前記シリンジが前記係止機構内で係止されたときに、前記係止機構に対する前記シリンジの回転を防止する、請求項1から3のいずれか一項に記載の医療用流体注入器。
【請求項５】
前記少なくとも1つのシリンジポートは、複数の陥凹を有する側壁と、前記側壁から径方向内向きに延在して前記複数の陥凹の各隣接する陥凹の間に位置する少なくとも1つの第1案内部材と、をさらに備える、請求項1から4のいずれか一項に記載の医療用流体注入器。
【請求項６】
前記少なくとも1つの第1案内部材は、前記少なくとも1つのシリンジ保持部材を前記係止リングとの自己配向アライメントに向けて案内するための1つ以上の案内表面を備える、請求項5に記載の医療用流体注入器。
【請求項７】
前記少なくとも1つの第1案内部材は、第1案内ランプおよび第2案内ランプを備え、前記第1案内ランプおよび前記第2案内ランプは、前記少なくとも1つの第1案内部材のそれぞれの側の第1の隣接する陥凹および第2の隣接する陥凹にそれぞれ向かって傾斜している、請求項5または6に記載の医療用流体注入器。
【請求項８】
前記少なくとも1つの第1案内部材は、前記係止機構内で係止されたときに前記シリンジの遠位への移動を防止するために、前記シリンジが前記係止機構内で係止されたときにベース面に対して前記少なくとも1つのシリンジ保持部材に当接するための近位面を有する、請求項5から7のいずれか一項に記載の医療用流体注入器。
【請求項９】
前記付勢機構はバネである、請求項1から8のいずれか一項に記載の医療用流体注入器。
【請求項１０】
前記係止機構は、前記少なくとも1つのセンサに対する前記係止リング上のセンサピックアップの配向に基づいて前記係止リングの角度位置を検出するための少なくとも1つのセンサをさらに備える、請求項1から9のいずれか一項に記載の医療用流体注入器。
【請求項１１】
前記少なくとも1つのセンサは、光センサ、ホール効果センサ、またはこれらの組み合わせである、請求項10に記載の医療用流体注入器。
【請求項１２】
前記センサピックアップは磁石である、請求項10または11に記載の医療用流体注入器。
【請求項１３】
前記少なくとも1つの注入器ポートは、前記シリンジの前記近位部分にある少なくとも1つの識別タグを読み取るためのバーコードリーダシステムを備える、請求項1から12のいずれか一項に記載の医療用流体注入器。
【請求項１４】
シリンジを受容するための少なくとも1つのシリンジポートを有する注入器ハウジングを備える流体注入器であって、前記注入器ハウジングは、
前記少なくとも1つのシリンジポート内で前記シリンジを固定するための、前記少なくとも1つのシリンジポートに関連付けられた係止機構を備え、前記係止機構は、前記少なくとも1つのシリンジポート内で前記シリンジを解放可能に係止するために、前記シリンジの少なくとも1つのシリンジ保持部材を係合するように構成されており、
前記少なくとも1つのシリンジ保持部材は、前記係止機構との自己配向アライメントに向けて前記シリンジを回転的に案内し、前記シリンジの回転時に前記係止機構から前記シリンジを軸方向に排出する、流体注入器。
【請求項１５】
前記係止機構は、
前記シリンジの近位端を受容するように構成された中央開口を有するハウジングと、
前記ハウジング内に設けられた係止リングであって、前記係止リングは縦軸の周りでの前記シリンジの回転を伴って第1係止位置と第2挿入／取り外し位置との間で回転可能である、前記係止リングと、
前記第1係止位置で付勢するための付勢機構と、
を備える、請求項14に記載の流体注入器。
【請求項１６】
前記付勢機構はバネである、請求項15に記載の流体注入器。
【請求項１７】
前記係止機構は、前記少なくとも1つのセンサに対する前記係止リング上のセンサピックアップの配向に基づいて前記係止リングの角度位置を検出するための少なくとも1つのセンサをさらに備える、請求項14から16のいずれか一項に記載の流体注入器。
【請求項１８】
前記少なくとも1つのセンサは、光センサ、ホール効果センサ、またはこれらの組み合わせである、請求項17に記載の流体注入器。
【請求項１９】
前記少なくとも1つのシリンジポートは、複数の陥凹を有する側壁と、前記複数の陥凹の各隣接する陥凹の間に位置する少なくとも1つの第1案内部材と、をさらに備える、請求項14から18のいずれか一項に記載の流体注入器。
【請求項２０】
前記少なくとも1つの第1案内部材は、前記少なくとも1つのシリンジ保持部材を前記係止リングとの自己配向アライメントに向けて案内するための1つ以上の案内表面を備える、請求項19に記載の流体注入器。
【発明の詳細な説明】
【技術分野】
【０００１】
関連出願の相互参照
本出願は、2018年1月31日に出願された米国仮特許出願第62/624,384号明細書の優先権を主張し、その開示の全ては本明細書に組み込まれる。
【０００２】
本開示は概して、流体注入器と共に使用するための前方装填型シリンジと、シリンジを流体注入器と係合および離脱させるための係止機構と、を含むシステムに関し、さらに、シリンジを注入器と係合させてシリンジを注入器から離脱させる方法に関する。
【背景技術】
【０００３】
多くの医療診断および治療処置において、医師などの医療従事者は、1つ以上の医療用流体を患者に注入する。近年、造影剤溶液（しばしば単に「造影剤」と呼ばれる）、生理食塩水などのフラッシング剤、およびその他の医療用流体など、流体の加圧注入のための多数の注入器作動型シリンジおよび流体注入器が、血管造影検査、コンピュータ断層撮影（CT）、超音波、磁気共鳴画像法（MRI）、陽電子放出断層撮影法（PET）、およびその他の撮影処置などの処置で使用するために、開発されてきた。一般に、これらの流体注入器は、予め設定された流速で予め設定された量の流体を供給するように設計されている。
【０００４】
シリンジと流体注入器との間の装填および取り外しを容易にするために、様々な前方装填型接続インターフェースが開発されてきた。いくつかの例では、流体注入器に設けられた対応する係止機能部にシリンジを位置合わせすることによって、保持機能部を有するシリンジが流体注入器のシリンジポート内に挿入される。しばしば医療従事者は、シリンジが注入器に装填可能となる前に、流体注入器の対応する係止機能部にシリンジの保持機能部を位置合わせする必要がある。場合によっては、米国特許第5,383,858号明細書に示されるように、シリンジが注入器の係止機能部に位置合わせすることが可能な配向が1つか2つしかない。これらのシリンジでは、操作者は、シリンジが流体注入器と係合できるアライメントを見つけるために、シリンジを回転させなければならない。すると、注入器の動作のために十分に強力な係合を作り出すために、操作者は係止機能部に対してシリンジを回転させる必要がある。米国特許第6,652,489号明細書に開示される別の例では、実装または係合のためにシリンジを回転的に位置合わせしたり、シリンジを回転させたりする必要はない。シリンジを取り外すために、操作者は、その縦軸の周りでシリンジを少なくとも45度、より一般的には90度回転させなければならない。回転の後、操作者はシリンジを注入器から引き出さなければならない。いくつかの例では、操作者は、シリンジを回しながら同時にシリンジを引かなければならない。
【０００５】
当該技術分野には、操作者が同時にシリンジを押すかまたは引いて回転させる労力を軽減できるようにするために、操作者がより容易にシリンジを流体注入器と係合および離脱させられるようにする、改良された接続インターフェースの必要性がある。当該技術分野には、シリンジと流体注入器との係合中に操作者がシリンジを流体注入器に回転的に位置合わせする必要性を低減または排除する、さらなる必要性がある。医療分野では様々なシリンジ接続インターフェースおよび方法が知られているが、シリンジと流体注入器との間の改良された接続インターフェース、およびシリンジと流体注入器との間の装填および取り外しの方法は、引き続き求められている。
【先行技術文献】
【特許文献】
【０００６】
【特許文献１】米国特許第5,383,858号明細書
【特許文献２】米国特許第6,652,489号明細書
【発明の概要】
【０００７】
シリンジと流体注入器との間の既存の接続インターフェースの利点を考慮して、当該技術分野には、従来技術の欠点を克服する、シリンジと流体注入器との間の改良された接続インターフェースの必要性がある。シリンジと流体注入器との間のより容易な装填および取り外しを可能にするために、シリンジが流体注入器に対してその縦軸の周りで回転的に位置合わせされなくてもよいように、シリンジと流体注入器との間で係合および離脱するための改良された方法の、さらなる必要性がある。
【課題を解決するための手段】
【０００８】
本開示のいくつかの例では、医療用流体注入器が記載される。医療用流体注入器は、注入器ハウジングと、シリンジの近位部分を受容するための注入器ハウジング内の少なくとも1つのシリンジポートと、シリンジの少なくとも1つのシリンジ保持部材を解放可能に係合することによって少なくとも1つのシリンジポート内のシリンジを解放可能に係止するために少なくとも1つのシリンジポートに関連付けられた係止機構と、を備える。係止機構は、第1係止位置と、シリンジの挿入および係止機構からの取り外しのための第2挿入／取り外し位置との間で回転可能な係止リングと、係止リングを第1係止位置で付勢するための、バネなどの付勢機構と、係止リング上の少なくとも1つの案内第2部材であって、少なくとも1つの案内第2部材は、シリンジが少なくとも1つのシリンジポートに挿入される際に第1係止位置から第2挿入／取り外し位置まで係止リングを回転させるためにシリンジの少なくとも1つのシリンジ保持部材と相互作用するための、ランプ表面を有する、少なくとも1つの案内第2部材と、を備えてもよい。係止リング上の少なくとも1つの案内第2部材は、シリンジが係止機構内の係止位置にある間に回転したときに第1係止位置から第2挿入／取り外し位置に係止リングを回転させるために、シリンジの少なくとも1つのシリンジ保持部材と相互作用してもよい。少なくとも1つの第2案内部材のランプ表面は、シリンジの少なくとも1つのシリンジ保持部材と相互作用し、係止リングが回転して第2挿入／取り外し位置になったときに係止位置からシリンジを軸方向に排出させてもよい。
【０００９】
医療用流体注入器の係止リングは、ランプ表面の近位端から係止リングの遠位面まで少なくとも部分的に延在する停止表面をさらに含んでもよく、停止表面は、シリンジが機構内で係止されたときに、係止機構に対するシリンジの回転を防止する。特定の態様では、少なくとも1つのシリンジポートは、複数の陥凹を有する側壁と、側壁から径方向内向きに延在して複数の陥凹の各隣接する陥凹の間に位置する少なくとも1つの第1案内部材と、をさらに備えてもよい。たとえば、少なくとも1つの第1案内部材は、少なくとも1つのシリンジ保持部材を係止リングとの自己配向アライメントに向けて案内するための1つ以上の案内表面を備えてもよい。少なくとも1つの第1案内部材は、第1案内ランプおよび第2案内ランプを備えてもよく、第1案内ランプおよび第2案内ランプは、少なくとも1つの第1案内部材のそれぞれの側の第1の隣接する陥凹および第2の隣接する陥凹にそれぞれ向かって傾斜している。少なくとも1つの第1案内部材は、係止機構内で係止されたときにシリンジの遠位への移動を防止するために、シリンジが係止機構内で係止されたときにベース面に対して少なくとも1つのシリンジ保持部材に当接するための近位面を有してもよい。
【００１０】
本開示の別の実施形態は流体注入器に関し、流体注入器は、シリンジを受容するための少なくとも1つのシリンジポートを有する注入器ハウジングを備えてもよい。注入器ハウジングは、少なくとも1つのシリンジポート内でシリンジを固定するための、少なくとも1つのシリンジポートに関連付けられた係止機構を含んでもよい。係止機構は、少なくとも1つのシリンジポート内でシリンジを解放可能に係止するために、シリンジの少なくとも1つのシリンジ保持部材を係合するように構成されてもよい。少なくとも1つのシリンジ保持部材は、係止機構との自己配向アライメントに向けてシリンジを回転的に案内してもよく、シリンジの回転時に係止機構からシリンジを軸方向に排出する。係止機構は、シリンジの近位端を受容するように構成された中央開口を有するハウジングと、ハウジング内に設けられた係止リングであって、係止リングは縦軸の周りでのシリンジの回転を伴って第1係止位置と第2挿入／取り外し位置との間で回転可能である、係止リングと、第1係止位置で付勢するための付勢機構と、を備えてもよい。付勢機構はバネであってもよい。
【００１１】
他の実施形態では、本開示は流体注入装置を提供する。流体注入装置は、遠位端と、近位端と、縦軸に沿って遠位端と近位端との間で実質的に周方向に延在する側壁と、を有するバレルを備える少なくとも1つのシリンジを有してもよく、バレルは、近位端から径方向外向きに突出する少なくとも1つのシリンジ保持部材を有する。流体注入装置はまた、少なくとも1つのシリンジを受容するための少なくとも1つのシリンジポートを有する注入器ハウジングと、少なくとも1つのシリンジポート内で少なくとも1つのシリンジを固定するための、少なくとも1つのシリンジポートに関連付けられた係止機構と、を備える注入器も有してよい。係止機構は、少なくとも1つのシリンジポート内で少なくとも1つのシリンジを解放可能に係止するために、少なくとも1つのシリンジの少なくとも1つのシリンジ保持部材を係合するように構成されてもよい。少なくとも1つのシリンジ保持部材は、係止機構との自己配向アライメントに向けて少なくとも1つのシリンジを回転的に案内してもよく、少なくとも1つのシリンジの回転時に係止機構から少なくとも1つのシリンジを軸方向に排出してもよい。係止機構は、少なくとも1つのセンサに対する係止リング上のセンサピックアップの配向に基づいて係止リングの角度位置を検出するための少なくとも1つのセンサを、さらに備えてもよい。少なくとも1つのセンサは、光センサ、ホール効果センサ、またはこれらの組み合わせであってもよい。少なくとも1つのシリンジポートは、複数の陥凹を有する側壁と、複数の陥凹の各隣接する陥凹の間に位置する少なくとも1つの第1案内部材と、をさらに備えてもよい。少なくとも1つの第1案内部材は、少なくとも1つのシリンジ保持部材を係止リングとの自己配向アライメントに向けて案内するための1つ以上の案内表面を備えてもよい。
【００１２】
本開示の別の例では、係止機構は、少なくとも1つのシリンジの近位端を受容するように構成された中央開口を有するハウジングと、ハウジング内に設けられた係止リングであって、係止リングは縦軸の周りでの少なくとも1つのシリンジの回転を伴って第1位置と第2位置との間で回転可能である、係止リングと、第1位置で付勢するための付勢機構と、を有してもよい。付勢機構は、定荷重バネ等のバネであってもよい。係止機構は、少なくとも1つのセンサに対する係止リング上のセンサピックアップの配向に基づいて係止リングの角度位置を検出するための少なくとも1つのセンサを有してもよい。少なくとも1つのセンサは、光センサ、ホール効果センサ、またはこれらの組み合わせであってもよい。センサピックアップは磁石であってもよい。少なくとも1つのシリンジ保持部材は、シリンジバレルの円周の少なくとも一部の周りに延在してもよい。少なくとも1つのシリンジ保持部材は、シリンジバレルの円周の周りで均等に離間した、複数のシリンジ保持部材であってもよい。少なくとも1つのシリンジ保持部材は、ベース面、側面、および案内表面を有する実質的に三角形の形状を有してもよい。案内表面は、直線状でも曲線状でもよい。案内表面は、連続的でも不連続的でもよい。
【００１３】
流体注入装置の様々な態様が、以下の条項の1つ以上に開示される。
【００１４】
条項1．医療用流体注入器であって、注入器ハウジングと；シリンジの近位部分を受容するための注入器ハウジング内の少なくとも1つのシリンジポートと；シリンジの少なくとも1つのシリンジ保持部材を解放可能に係合することによって少なくとも1つのシリンジポート内のシリンジを解放可能に係止するために少なくとも1つのシリンジポートに関連付けられた係止機構と、を備え、係止機構は、第1係止位置と、シリンジの挿入および係止機構からの取り外しのための第2挿入／取り外し位置との間で回転可能な係止リングと、係止リングを第1係止位置で付勢するための、付勢機構と、係止リング上の少なくとも1つの案内第2部材であって、少なくとも1つの案内第2部材は、シリンジが少なくとも1つのシリンジポートに挿入される際に第1係止位置から第2挿入／取り外し位置まで係止リングを回転させるためにシリンジの少なくとも1つのシリンジ保持部材と相互作用するための、ランプ表面を有する、少なくとも1つの案内第2部材と、を備える、医療用流体注入器。
【００１５】
条項2．係止リング上の少なくとも1つの案内第2部材は、シリンジが係止機構内の係止位置にある間に回転したときに第1係止位置から第2挿入／取り外し位置に係止リングを回転させるために、シリンジの少なくとも1つのシリンジ保持部材と相互作用する、条項1に記載の医療用流体注入器。
【００１６】
条項3．少なくとも1つの第2案内部材のランプ表面は、シリンジの少なくとも1つのシリンジ保持部材と相互作用し、係止リングが回転して第2挿入／取り外し位置になったときに係止位置からシリンジを軸方向に排出させる、条項2に記載の医療用流体注入器。
【００１７】
条項4．係止リングは、ランプ表面の近位端から係止リングの遠位面まで少なくとも部分的に延在する停止表面をさらに備え、停止表面は、シリンジが機構内で係止されたときに、係止機構に対するシリンジの回転を防止する、条項1から条項3のいずれか一項に記載の医療用流体注入器。
【００１８】
条項5．少なくとも1つのシリンジポートは、複数の陥凹を有する側壁と、側壁から径方向内向きに延在して複数の陥凹の各隣接する陥凹の間に位置する少なくとも1つの第1案内部材と、をさらに備える、条項1から条項4のいずれか一項に記載の医療用流体注入器。
【００１９】
条項6．少なくとも1つの第1案内部材は、少なくとも1つのシリンジ保持部材を係止リングとの自己配向アライメントに向けて案内するための1つ以上の案内表面を備える、条項5に記載の医療用流体注入器。
【００２０】
条項7．少なくとも1つの第1案内部材は、第1案内ランプおよび第2案内ランプを備え、第1案内ランプおよび第2案内ランプは、少なくとも1つの第1案内部材のそれぞれの側の第1の隣接する陥凹および第2の隣接する陥凹にそれぞれ向かって傾斜している、条項5または条項6に記載の医療用流体注入器。
【００２１】
条項8．少なくとも1つの第1案内部材は、係止機構内で係止されたときにシリンジの遠位への移動を防止するために、シリンジが係止機構内で係止されたときにベース面に対して少なくとも1つのシリンジ保持部材に当接するための近位面を有する、条項5から条項7のいずれか一項に記載の医療用流体注入器。
【００２２】
条項9．付勢機構はバネである、条項1から条項8のいずれか一項に記載の医療用流体注入器。
【００２３】
条項10．係止機構は、少なくとも1つのセンサに対する係止リング上のセンサピックアップの配向に基づいて係止リングの角度位置を検出するための少なくとも1つのセンサをさらに備える、条項1から条項9のいずれか一項に記載の医療用流体注入器。
【００２４】
条項11．少なくとも1つのセンサは、光センサ、ホール効果センサ、またはこれらの組み合わせである、条項10に記載の医療用流体注入器。
【００２５】
条項12．センサピックアップは磁石である、条項10または条項11に記載の医療用流体注入器。
【００２６】
条項13．少なくとも1つの注入器ポートは、シリンジの近位部分にある少なくとも1つの識別タグを読み取るためのバーコードリーダシステムを備える、条項1から条項12のいずれか一項に記載の医療用流体注入器。
【００２７】
条項14．シリンジを受容するための少なくとも1つのシリンジポートを有する注入器ハウジングを備える流体注入器であって、注入器ハウジングは、少なくとも1つのシリンジポート内でシリンジを固定するための、少なくとも1つのシリンジポートに関連付けられた係止機構を備え、係止機構は、少なくとも1つのシリンジポート内でシリンジを解放可能に係止するために、シリンジの少なくとも1つのシリンジ保持部材を係合するように構成されており、少なくとも1つのシリンジ保持部材は、係止機構との自己配向アライメントに向けてシリンジを回転的に案内し、シリンジの回転時に係止機構からシリンジを軸方向に排出する、流体注入器。
【００２８】
条項15．係止機構は、シリンジの近位端を受容するように構成された中央開口を有するハウジングと、ハウジング内に設けられた係止リングであって、係止リングは縦軸の周りでのシリンジの回転を伴って第1係止位置と第2挿入／取り外し位置との間で回転可能である、係止リングと、第1係止位置で付勢するための付勢機構と、を備える、条項14に記載の流体注入器。
【００２９】
条項16．付勢機構はバネである、条項15に記載の流体注入器。
【００３０】
条項17．係止機構は、少なくとも1つのセンサに対する係止リング上のセンサピックアップの配向に基づいて係止リングの角度位置を検出するための少なくとも1つのセンサをさらに備える、条項14から条項16のいずれか一項に記載の流体注入器。
【００３１】
条項18．少なくとも1つのセンサは、光センサ、ホール効果センサ、またはこれらの組み合わせである、条項17に記載の流体注入器。
【００３２】
条項19．少なくとも1つのシリンジポートは、複数の陥凹を有する側壁と、複数の陥凹の各隣接する陥凹の間に位置する少なくとも1つの第1案内部材と、をさらに備える、条項14から条項18のいずれか一項に記載の流体注入器。
【００３３】
条項20．少なくとも1つの第1案内部材は、少なくとも1つのシリンジ保持部材を係止リングとの自己配向アライメントに向けて案内するための1つ以上の案内表面を備える、条項19に記載の流体注入器。
【００３４】
シリンジ、シリンジ接続インターフェース、ならびにシリンジおよび／またはシリンジ接続インターフェースを有するシステム、ならびに構造の関連要素の動作方法および機能および部品と製造の経済性との組み合わせのこれらおよびその他の特徴および特性は、添付図面を参照して以下の説明および添付請求項を検討すればより明らかになるが、これらの全ては本明細書の一部を形成するものであり、様々な図において類似の参照番号は対応する部品を指定する。しかしながら、図面が例示および説明のみを目的とすることは、明確に理解されるべきである。
【図面の簡単な説明】
【００３５】
【図１】本開示の一例による、流体注入器およびシリンジを有する流体供給システムの斜視図である。
【図２Ａ】本開示の一例によるシリンジの斜視図である。
【図２Ｂ】図2Aに示されるシリンジの少なくとも1つのシリンジ保持部材の詳細斜視図である。
【図３】一例による、2つのシリンジ、および1つまたは両方のシリンジを流体注入器に固定するための二重係止機構の分解斜視図である。
【図４】図3に示される係止機構の分解斜視図である。
【図５】フロントカバーのない、図3に示される係止機構の上面斜視図である。
【図６】左の係止リングが第2位置にあり、右の係止リングが第一位置にある、図5に示される係止機構の上面図である。
【図７Ａ】シリンジと係止機構との係合中の係止機構の構成要素の動きを示す、係止機構およびシリンジの部分透視斜視図である。
【図７Ｂ】シリンジと係止機構との係合中の係止機構の構成要素の動きを示す、係止機構およびシリンジの部分透視斜視図である。
【図７Ｃ】シリンジと係止機構との係合中の係止機構の構成要素の動きを示す、係止機構およびシリンジの部分透視斜視図である。
【図７Ｄ】シリンジと係止機構との係合中の係止機構の構成要素の動きを示す、係止機構およびシリンジの部分透視斜視図である。
【図７Ｅ】シリンジと係止機構との係合中の係止機構の構成要素の動きを示す、係止機構およびシリンジの部分透視斜視図である。
【図７Ｆ】シリンジと係止機構との係合中の係止機構の構成要素の動きを示す、係止機構およびシリンジの部分透視斜視図である。
【図７Ｇ】シリンジと係止機構との係合中の係止機構の構成要素の動きを示す、係止機構およびシリンジの部分透視斜視図である。
【図７Ｈ】シリンジと係止機構との係合中の係止機構の構成要素の動きを示す、係止機構およびシリンジの部分透視斜視図である。
【図８Ａ】係止機構からのシリンジの離脱中の係止機構の構成要素の動きを示す、係止機構およびシリンジの部分透視斜視図である。
【図８Ｂ】係止機構からのシリンジの離脱中の係止機構の構成要素の動きを示す、係止機構およびシリンジの部分透視斜視図である。
【図８Ｃ】係止機構からのシリンジの離脱中の係止機構の構成要素の動きを示す、係止機構およびシリンジの部分透視斜視図である。
【図８Ｄ】係止機構からのシリンジの離脱中の係止機構の構成要素の動きを示す、係止機構およびシリンジの部分透視斜視図である。
【図９】実装されたシリンジおよび流体注入器の側面断面図である。
【発明を実施するための形態】
【００３６】
以下の説明の目的のために、用語「上」、「下」、「右」、「左」、「垂直」、「水平」、「上部」、「底部」、「横」、「縦」、およびこれらの派生語は、図面に示されるように本開示に関連するものとする。本明細書および請求項で使用される際に、単数形の「a」、「an」、および「the」は、別途文脈が明確に支持しない限りにおいて、複数の指示対象を含む。
【００３７】
シリンジおよび／またはプランジャに関して使用されるとき、用語「近位」は、シリンジおよび／またはプランジャが流体注入器との接続のために配向されたときに流体注入器に最も近いシリンジおよび／またはプランジャの部分を指す。用語「遠位」は、シリンジおよび／またはプランジャが流体注入器との接続のために配向されたときに流体注入器から最も遠いシリンジおよび／またはプランジャの部分を指す。用語「径方向」は、近位端と遠位端との間に延在する、シリンジ、プランジャ、および／またはピストンの縦軸に対して垂直な断面内の方向を指す。用語「周方向」は、シリンジ、プランジャ、および／またはピストンの側壁の内面または外面の周りの方向を指す。用語「軸方向」は、近位端と遠位端との間に延在する、シリンジ、プランジャ、および／またはピストンの縦軸に沿った方向を指す。用語「自己配向」は、ピストンヘッドまたはプランジャが、技師または流体注入器による回転努力を伴わずに、それぞれプランジャまたはピストンヘッドに対して正しい方向に配向することを意味する。用語「曲線的」は、1つ以上の曲線、1つ以上の曲線を有する1つ以上の直線、および／または非直線的に配置された1つ以上の直線セグメントを有する表面の形状を指す。
【００３８】
本開示は、そうではないと明確に指定された場合を除き、代替の変形形態およびステップシーケンスを想定し得ることは、理解されるべきである。添付図面に示されて以下の明細書に記載される特定の装置およびプロセスは、本開示の単なる例示的実施形態であることもまた、理解されるべきである。したがって、本明細書に開示される例に関する特定の寸法およびその他の物理的特性は、限定的であると見なされるべきではない。
【００３９】
類似の参照符号がいくつかの図にわたって類似の部分を指している図面を参照しつつ、本開示は概して、シリンジ、およびシリンジを流体注入器に接続するための接続インターフェースを対象とする。
【００４０】
図1を参照すると、自動または電動流体注入器等の流体注入器10（以下、「注入器10」と称される）は、1つ以上のシリンジ12（以下、「シリンジ12」と称される）とインターフェースして作動させるようになっており、シリンジ12は、造影媒体、生理食塩水、またはいずれか所望の医療用流体などの流体Fで充填されてよい。注入器10は、リニアアクチュエータまたはピストン要素を有するシリンジ12のプランジャ26を駆動することによって、患者の体内に医療用流体を注入するために、医療処置中に使用され得る。注入器10はマルチシリンジ注入器であってもよく、これはいくつかのシリンジ12が横に並んで配向されてもよく、注入器10に関連付けられたそれぞれのリニアアクチュエータまたはピストン要素によってこれらが個別に作動されるものである。2つのシリンジが横並びまたは他の関係性で配置されて2つの異なる流体で充填される例では、注入器10は、シリンジ12の一方または両方から流体を供給するように構成され得る。
【００４１】
注入器10は、プラスチックまたは金属などの適切な構造材料から形成されたハウジング14内に封入されてもよい。ハウジング14は、所望の用途に応じて、様々な形状およびサイズであってもよい。たとえば、注入器10は、床の上に載置されるように構成された自立構造であってもよく、または適切なテーブルまたは支持フレーム上に載置するように小型の設計であってもよい。注入器10は、シリンジ12をそれぞれのピストン要素に接続するための1つ以上のシリンジポート16を含む。1つ以上のシリンジポート16は、注入器のフェースプレート72上に位置してもよい。以下に記載されるように、いくつかの例では、シリンジ12は、注入器10のシリンジポート16内にシリンジ12を保持するように構成された1つ以上のシリンジ保持部材を含む。1つ以上のシリンジ保持部材は、本明細書に記載されるように、シリンジ12と注入器10との間の装填および取り外しを容易にするために、注入器10の係止機構と動作可能に係合するように構成されている。シリンジ保持部材および係止機構は共に、注入器10にシリンジ12を接続するための接続インターフェースを画定する。
【００４２】
流体経路セット17は、シリンジ12から血管アクセス部位で患者に挿入されたカテーテル（図示せず）まで流体Fを供給するためのシリンジ12と流体接続してもよい。シリンジ12からの流体の流れは、流体制御モジュール（図示せず）によって調節されてもよい。流体制御モジュールは、注入流量、持続時間、総注入量、ならびに造影媒体および食塩水の比率などのユーザが選択した注入パラメータに基づいて、対応する注入器ピストンの速度（およびひいてはシリンジプランジャの速度）を制御することによって、患者への生理食塩水および造影剤の供給を調節することができる。
【００４３】
注入器10の概略的な構造および機能を説明してきたが、ここでシリンジ12についてより詳細に説明する。図2Aを参照すると、シリンジ12は概して、ガラス、金属、または適切な医療用プラスチックから形成された円筒形のシリンジバレル18を有する。バレル18は、近位端20および遠位端24を有し、側壁19が、バレル18の中心を通って延在する縦軸15の長さに沿ってその間に延在する。いくつかの例では、遠位端24は、円筒形のバレル18から遠位方向に細くなる円錐形状を有してもよい。ノズル22が遠位端24から延在する。バレル18は、本明細書において流体を受容するように構成された内部容積25を画定する、外面21および内面23（図9に示される）を有する。バレル18の近位端20は、バレル18を通じて摺動可能なプランジャ26（図3に示される）で封止されてもよい。プランジャ26（図1および図9に示される）は、その内部を前進する際にバレル18の内面23に対して液密シールを形成する。
【００４４】
引き続き図2Aを参照すると、シリンジ12の近位端20は、注入器10のシリンジポート16（図1に示される）内に取り外し可能に挿入されるようにサイズ決めおよび適合されている。いくつかの例では、シリンジ12の近位端20は、注入器10のシリンジポート16内に取り外し可能に挿入されるように構成された挿入セクション30を画定し、その一方でシリンジ12の残りの部分は、シリンジポート16の外側に残る。本明細書に詳細に記載されるように、特定の例では、シリンジ12の近位端20は、シリンジポート16内にシリンジ12を保持するために注入器10のシリンジポート16内の対応する係止機構との係止係合を形成するようになっている、1つ以上のシリンジ保持部材32を含む。1つ以上のシリンジ保持部材32を有するシリンジ12と注入器10の係止機構との組み合わせは、注入器10との間のシリンジ12の装填および取り外しのための接続インターフェースを画定する。いくつかの例では、1つ以上のシリンジ保持部材32は、シリンジ12がシリンジポート16を解放可能に係止するように、シリンジポート16に対してシリンジ12を自己配向させるために、係止機構の少なくとも一部と協働する。
【００４５】
1つ以上のシリンジ保持部材32は、挿入セクション30の少なくとも一部にあるシリンジバレル18の外面21上に設けられてもよい。1つ以上のシリンジ保持部材32は、バレル18と一体に形成されてもよく、あるいは、たとえば摩擦嵌め、および／または接着剤、溶接を用いて、または成形によって、バレル18の外面21に取付または別途固定されてもよい。別の例では、1つ以上のシリンジ保持部材32は、エッチング、レーザ切断、または機械加工によって、バレル18の外面21上に形成されてもよい。
【００４６】
1つ以上のシリンジ保持部材32は、互いに同一であっても異なっていてもよい。図2Aに示される例では、シリンジ12は、3つの異なるシリンジ保持部材32を2セット有してもよい。たとえば、シリンジ12は、直径方向で互いに反対に位置決めされた1対の第1シリンジ保持部材32aと、第1の方向で1対の第1シリンジ保持部材32aに対して周方向にずれた1対の第2シリンジ保持部材32bと、第2の方向で1対の第1シリンジ保持部材32aに対して周方向にずれた1対の第3のシリンジ保持部材32cと、を有してもよい。第1、第2、および第3シリンジ保持部材32a、32b、32cは、まとめて「シリンジ保持部材32」と称される。この配置において、各第1シリンジ保持部材32aは、その片側では第2シリンジ保持部材32bによって、およびその反対側では第3シリンジ保持部材32cによって、包囲される。当業者であれば、同じかまたは異なるシリンジ保持部材32の1つ以上のセットの他の配置が容易に考えられることを、理解するだろう。
【００４７】
図2Bを参照すると、複数の第1シリンジ保持部材32aが設けられた例において、第1シリンジ保持部材32aは、バレル18の外面21の部分によって、バレル18の円周の周りで径方向に分離していてもよい。2つの第1シリンジ保持部材32aが設けられた例において、第1シリンジ保持部材32aは直径方向で互いに対向していてもよい（すなわち、互いに180°分離していてもよい）。各第1シリンジ保持部材32aは、バレル18の外周に沿って角度α（図2Aに示される）にわたって延在してもよい。いくつかの例では、角度αはおよそ30°であってもよい。別の例では、各第1シリンジ保持部材32aは、バレル18の外周の30°超または30°未満の角度で延在してもよい。同様に、各第2および第3シリンジ保持部材32b、32cは、各第1シリンジ保持部材32aと同じかまたは異なる角度で延在してもよい。第1シリンジ保持部材32aと隣接する第2および第3シリンジ保持部材32b、32cとの間のバレル18の外面21の部分は角度β（図2Aに示される）で延在してもよく、これはバレル18の円周のおよそ30°超またはおよそ30°未満であってもよい。第1、第2、および第3シリンジ保持部材32a、32b、32cは、近位端20から縦軸15に沿って縦方向に位置合わせされてもよい。たとえば、第1、第2、および第3シリンジ保持部材32a、32b、32cの遠位端は、近位端20から同じ距離に位置決めされてもよい。別の例では、第1、第2、および第3シリンジ保持部材32a、32b、32cのうちの少なくとも1つが、近位端20または遠位端24に向かう方向でシリンジ保持部材の残りのものに対して縦方向にずれていてもよい。
【００４８】
図2Bを参照すると、各第1シリンジ保持部材32aは、縦軸15に対してシリンジバレル18の外面21から径方向外向きに突出する、実質的に三角形の要素として形成される（図2Aに示される）。各第1シリンジ保持部材32aは、外面21に対して実質的に垂直な方向に、バレル18の外面21から径方向外向きに突出してもよい。いくつかの例では、第1シリンジ保持部材32aのうちの少なくとも1つ、または第1シリンジ保持部材32aのうちの少なくとも1つの一部は、バレル18の外面21に対して鈍角または鋭角でバレル18の外面21から径方向外向きに突出してもよい。各第1シリンジ保持部材32aは、径方向切断面内でバレル18の縦軸15に対して実質的に垂直なベース面38aを有する。別の例では、ベース面38aは、径方向切断面内でバレル18の外周の周りに延在する際に、縦軸15の方向に対して角度を付けられてもよい。ベース面38aは、平面状、セグメント状、弓状、湾曲、またはこれらの組み合わせであってもよい。いくつかの例では、ベース面38aは、ベース面38aを共に画定する複数の個々の部分を有してもよい。ベース面38aの複数の個々の部分は、平面状、セグメント状、弓状、湾曲、またはこれらの組み合わせであってもよい。
【００４９】
引き続き図2Bを参照すると、1対の側面40aは、縦軸15に対して実質的に垂直な方向に、ベース面38aの少なくとも1つの末端から延在する。側面40aは、縦軸15に沿った方向に等しいかまたは等しくない長さを有することができる。いくつかの例では、少なくとも1つの側面40aは、縦軸15に対して角度付けられていてもよい。側面40aは、縦軸15の方向に対して同じ方向または反対の方向に角度付けられてもよい。各側面40aは、ベース面38aと直接接続されてもよい。いくつかの例では、少なくとも1つの側面40aは、ベース面38aから切り離されてもよい。各側面40aは、平面状、セグメント状、弓状、湾曲、またはこれらの組み合わせであってもよい。いくつかの例では、各側面40aは、少なくとも1つの側面40aを共に画定する複数の個々の部分を有してもよい。各側面40aの複数の個々の部分は、平面状、セグメント状、弓状、湾曲、またはこれらの組み合わせであってもよい。
【００５０】
引き続き図2Bを参照すると、案内表面42aが1対の側面40aの間に延在している。案内表面42aは、縦軸15に対して角度付けられてもよい。縦軸15に対して角度付けられた案内表面42aの配置は、遠位端24（図2Aに示される）から近位端20に向かう方向の円筒平面投影図における案内表面42aの傾斜角として定義されてもよい。たとえば、案内表面42aは、縦軸15に対して角度γで角度付けられてもよい。案内表面42aは、側面40aのうちの少なくとも1つと直接接続されてもよい。いくつかの例では、案内表面42aは、側面40aのうちの少なくとも1つから切り離されてもよい。案内表面42aは、丸みを帯びたまたは鋭い頂点44で終端してもよい。案内表面42aは、平面状、セグメント状、弓状、湾曲、またはこれらの組み合わせであってもよい。いくつかの例では、案内表面42aは、案内表面42aを共に画定する複数の個々の部分を有してもよい。案内表面42aの複数の個々の部分は、平面状、セグメント状、弓状、湾曲、またはこれらの組み合わせであってもよい。
【００５１】
ベース面38a、側面40a、および案内表面42aは、第1シリンジ保持部材32aの境界または輪郭を画定する。いくつかの例では、第1保持部材32aの上面46は、シリンジバレル18の曲率に対応する形状になっていてもよい。別の例では、上面46は、上面46の第1末端がシリンジバレル18に対して上面46の第2末端よりも高くなるように、シリンジバレル18の外面21に対して角度付けられてもよい。上面46は、シリンジバレル18の外面21に向かって径方向内向きに延在する陥凹48を有してもよい。特定の実施形態によれば、少なくとも1つの補強リブ49は任意選択的に、陥凹48の少なくとも一部を横切って延在してもよい。いくつかの例では、少なくとも1つの補強リブ49は、縦軸15と実質的に平行な方向で、ベース面38aと案内表面42aとの間に延在する。別の実施形態によれば、第1保持部材32aは、少なくとも1つの補強リブ49を必要としないほど十分に剛性であり得る。
【００５２】
引き続き図2Bを参照すると、第2および第3シリンジ保持部材32b、32cは、縦軸15に対してシリンジバレル18の外面21から径方向外向きに突出する、実質的にL字型の要素として形成される。第2および第3シリンジ保持部材32b、32cのうちの少なくとも1つは、外面21に対して実質的に垂直な方向に、バレル18の外面21から径方向外向きに突出してもよい。いくつかの例では、第2および第3シリンジ保持部材32b、32cのうちの少なくとも1つ、または第2および第3シリンジ保持部材32b、32cのうちの少なくとも1つの一部は、バレル18の外面21に対して鈍角または鋭角でバレル18の外面21から径方向外向きに突出してもよい。
【００５３】
第2および第3シリンジ保持部材32b、32cの各々は、バレル18の縦軸15に対して実質的に垂直なベース面38b、38cを有する。別の例では、ベース面38b、38cは、径方向切断面内でバレル18の外周の周りに延在する際に、縦軸15の方向に対して角度を付けられてもよい。ベース面38b、38cは、平面状、セグメント状、弓状、湾曲、またはこれらの組み合わせであってもよい。いくつかの例では、ベース面38b、38cは、ベース面38b、38cを共に画定する複数の個々の部分を有してもよい。ベース面38b、38cの複数の個々の部分は、平面状、セグメント状、弓状、湾曲、またはこれらの組み合わせであってもよい。いくつかの例では、第2シリンジ保持部材32bのベース面38bは、第3シリンジ保持部材32cのベース面38cと同じ長さを有してもよい。別の例では、第2シリンジ保持部材32bのベース面38bは、第3シリンジ保持部材32cのベース面38cよりも長いかまたは短くてもよい。第2および第3シリンジ保持部材32b、32cのベース面38b、38cの少なくとも1つの縁は、外面21に対して鈍角または鋭角でシリンジバレル18の外面21から突出してもよい。
【００５４】
引き続き図2Bを参照すると、第2および第3シリンジ保持部材32b、32cの各々は、縦軸15と実質的に平行な方向でベース面38b、38cの1つの末端から延在する側面40b、40cを有する。側面40b、40cは、縦軸15に沿った方向に等しいかまたは等しくない長さを有することができる。いくつかの例では、少なくとも1つの側面40b、40cは、縦軸15に対して角度付けられていてもよい。各側面40b、40cは、それぞれのベース面38b、38cと直接接続されてもよい。いくつかの例では、少なくとも1つの側面40b、40cは、それぞれのベース面38b、38cから切り離されてもよい。各側面40b、40cは、平面状、セグメント状、弓状、湾曲、またはこれらの組み合わせであってもよい。いくつかの例では、各側面40b、40cは、少なくとも1つの側面40b、40cを共に画定する複数の個々の部分を有してもよい。各側面40b、40cの複数の個々の部分は、平面状、セグメント状、弓状、湾曲、またはこれらの組み合わせであってもよい。いくつかの例では、第2シリンジ保持部材32bの側面40bは、第3シリンジ保持部材32cの側面40cと同じ長さを有してもよい。別の例では、第2シリンジ保持部材32bの側面40bは、第3シリンジ保持部材32cの側面40cよりも長いかまたは短くてもよい。第2および第3シリンジ保持部材32b、32cの側面40b、40cの少なくとも1つの縁は、外面21に対して鈍角または鋭角でシリンジバレル18の外面21から突出してもよい。
【００５５】
図2Aから図2Bは1つ以上のシリンジ保持部材32の1つの非限定例を示すが、他の様々な形状もまた考えられる。たとえば、1つ以上のシリンジ保持部材32は、概して円形、正方形、長方形、またはその他の多角形の形状を有してもよい。シリンジポート16に対してシリンジ12を配向するのを助けるため、またはシリンジ12をシリンジポート16に係止するために、1つ以上のシリンジ保持部材32に様々な特徴が設けられてもよい。各例において、1つ以上のシリンジ保持部材32は、シリンジ12をシリンジポート16内に保持するために、注入器10のシリンジポート16内で対応する係止機構との係止係合を形成するように構成されている。
【００５６】
図2Aを参照すると、ドリップフランジ36は、縦軸15に対してシリンジバレル18の外面21から径方向外向きに延在してもよい。ドリップフランジ36は、バレル18の外周の少なくとも一部の周りに延在してもよい。一例では、ドリップフランジ36は、シリンジ保持部材32に対して縦軸15に沿って遠位に位置決めされる。ドリップフランジ36は、ノズル22から滴下する流体が注入器10上のシリンジポート16に侵入するのを防止するように構成されてもよい。このようにして、ドリップフランジ36は、シリンジポート16に侵入して接続インターフェース100を詰まらせ、または妨害する可能性がある流体の量を減少させるのに役立つ。いくつかの例では、ドリップフランジ36は、ドリップフランジ36がカバー72の上面（図9に示される）に接触するときなど、シリンジ12の挿入セクション30を区切る停止表面を画定する。ドリップフランジ36は、バレル18と一体に形成されてもよく、あるいは、たとえば摩擦嵌め、および／または接着剤、溶接を用いて、または成形によって、バレル18の外面21に取付または別途固定されてもよい。別の例では、ドリップフランジ36は、エッチング、レーザ切断、または機械加工によって、バレル18の外面21上に形成されてもよい。
【００５７】
図3を参照すると、各シリンジ12の近位端20は、注入器10のシリンジポート16（図1に示される）内に取り外し可能に挿入されるようにサイズ決めおよび適合されている。各シリンジポート16は、シリンジ12の1つ以上のシリンジ保持部材32を動作可能に係合するように構成された、係止機構35を有する。1つ以上のシリンジ保持部材32は、シリンジ12がシリンジポート16内に係止されてそこから取り外されることが不可能な係止位置と、シリンジ12がシリンジポート16から解除されて、自由にシリンジポート16から取り外され、またはシリンジポート16内に挿入されることが可能な解除位置と、の間で係止機構35と動作可能に係合するように構成されてもよい。
【００５８】
図4を参照し、引き続き図3を参照すると、係止機構35は、ハウジング70と、ハウジング70に取り付けられた取り外し可能なカバープレート72と、を有する。カバープレート72は、シリンジ12の近位端20を受容するように各々構成された、1対の中央開口73を有する。いくつかの例では、カバープレート72は、単一のシリンジ12を受容するための単一の中央開口73を有してもよい。カバープレート72は、シリンジポート16に接続されるべきシリンジを識別するために、印74を有してもよい。たとえば、印74は、シリンジ12内の流体（すなわち、生理食塩水または造影剤）に基づいて、シリンジポート16に接続されるべきシリンジ12のタイプを示してもよい。係止機構35のハウジング70およびカバープレート72は、注入器10（図1に示される）のハウジング14の一部として一体化されてもよい。
【００５９】
引き続き図3から図4を参照すると、各シリンジポート16は、シリンジ12の1つ以上のシリンジ保持部材32を動作可能に係合するように構成された、係止リング76を有する。係止リング76は、開口73を通じて挿入されたシリンジ12が係止リング76にも挿入されるように、シリンジポート16の開口73と同軸である。係止リング76の直径は、開口73の直径と実質的に同一であってもよい。係止リング76は、シリンジ12が係止機構35との係止の前にシリンジポート16内に挿入されるか、または係止機構35からの解除に続いてシリンジポート16から取り外されることが可能な第1位置と、シリンジ12が係止機構35に係止されている第2位置との間で、移動可能であってもよい。第1位置と第2位置との間の係止リング76の角度位置など、係止リング76の位置を検出するために、センサ86（図4に示される）が設けられてもよい。ハウジング70は、たとえば複数のファスナ80を使用して、ベースプレート78に接続されてもよい。いくつかの例では、複数のファスナ80は、カバープレート72の下側部分に接続された複数のボルト80aと、ボルト80aにネジ留めされた複数のナット80bと、を含んでもよい。ボルト80aの各々は、ハウジング70およびベースプレート78の開口を通じて延在する。いくつかの例では、ボルト80aは、ハウジング70およびベースプレート78のうちの少なくとも1つとネジ式で接続されてもよい。
【００６０】
図4を参照すると、少なくとも1つのシリンジポート16は、シリンジ12および／またはその中に収容された流体の少なくとも1つの特性に関する識別情報を有するシリンジ12上の少なくとも1つの識別タグ84（図3に示される）を読み取るように構成された、バーコードリーダシステム82を含んでもよい。いくつかの例では、少なくとも1つの識別タグ84に格納されることが可能な情報は、非限定的に、製造日時、ロット番号、製造ライン、工場コード、および／または使用期限など、シリンジの製造データに関する情報を含む。別の例では、少なくとも1つの識別タグ84に格納されることが可能な情報は、非限定的に、シリンジ内に格納された流体のタイプ、流体の量、および／または使用期限に関する情報を含む。別の例では、少なくとも1つの識別タグ84に格納されることが可能な情報は、非限定的に、正しいシリンジ12が流体注入器10と共に使用されることを確認するために流体注入器10によって検証されることが可能な固有のデジタル署名に関する情報を含む。この情報のいずれかまたは全ては、少なくとも1つの識別タグ84の各々に格納され得る。
【００６１】
図5を参照すると、第1位置と第2位置との間の係止リング76の移動は、少なくとも1つの付勢機構88（「付勢機構88」）によって制御されてもよい。いくつかの例では、付勢機構88は、係止リング76が第1位置から移動したときに付勢機構88が自動的に係止リング76を第1位置に向かって押し戻すように、係止リング76を第1位置に向けて付勢するように構成されてもよい。いくつかの例では、付勢機構88は少なくとも1つのバネ90であってもよい。別の例では、付勢機構88は1対のバネ90であってもよい。バネ90は、直径方向で互いに反対に位置決めされてもよい。少なくとも1つのバネ90は、第1末端が係止リング76に取り付けられて第2末端がハウジング70に取り付けられた定荷重バネであってもよい。中心軸の周りの回転等による、第1位置から第2位置への係止リング76の移動は、少なくとも1つのバネ90において復元力を発生させる。係止リング76を第1位置から第2位置まで移動させる付勢力の解放時に、少なくとも1つのバネ90の復元力は自動的に係止リング76を第1位置に向かって押し戻す。いくつかの例では、ハウジング70は、第1位置と第2位置との間の係止リング76の角運動の範囲を区切るための、1つ以上のストップ92を有してもよい。1つ以上のストップ92の各々は、係止リング76上のタブ94と係合するように構成されてもよい。
【００６２】
図6を参照すると、各シリンジポート16は、第1位置と第2位置との間の係止リング76の角度位置など、係止リング76の位置を検出するように構成されたセンサ84を有する。各係止リング76は、センサ84と相互作用するように構成された、センサピックアップ96を有してもよい。いくつかの例では、センサピックアップ96は磁石であってもよい。センサ84は、センサピックアップ96の磁界の強度に基づいて、その出力電圧を変化させてもよい。このようにして、センサ84およびセンサピックアップ96はホール効果センサとして動作する。センサ84は、センサピックアップ96の有無を検出するように構成されたバイナリセンサであってもよい。このような例では、センサ84は、係止リング76が第1位置にあるか第2位置にあるかなど、係止リング76が特定の配向にあるか否かのみを判断することができる。センサ84は、センサ84に対するセンサピックアップ96の位置、したがって係止リング76の位置を検出するように構成された、デジタルセンサであってもよい。さらなる例では、センサ84は、係止リング76が係止位置にあるか、解除位置にあるか、または係止位置と解除位置との間の位置にあるかに基づいて一定範囲の電圧出力を提供するように構成された、非バイナリアナログセンサなどのアナログセンサであってもよい。いくつかの例では、センサ84は、センサピックアップ96の位置を検出するように構成された、カメラなどの光センサであってもよい。当業者であれば、センサ84は、センサ84に対する係止リング76の位置を検出するように構成されたいずれのタイプのセンサであってもよいことを、理解するだろう。
【００６３】
図7Aを参照すると、カバープレート72の開口73の中の側壁100の内側部分は、シリンジ12の挿入セクション30がカバープレート72の開口73を通じて挿入されたときにシリンジ12のシリンジ保持部材32を受容するように構成された、1つ以上の第1陥凹102を有する。各第1陥凹102は、開口73の縦軸の方向に沿って実質的に平行に延在する。1つ以上の第1陥凹102は、シリンジ12の外周の周りのシリンジ保持部材32の離間に対応する間隔で、側壁100の内周の周りで離間している。各第1陥凹102の幅は、シリンジ保持部材32の幅と同じかまたはこれより広い。第1陥凹102は、シリンジ12上のシリンジ保持部材32を受容するためのクリアランス空間を画定する。シリンジ12上のシリンジ保持部材32の数は、望ましくはカバープレート72の側壁100上の第1陥凹102の数に対応する。別の例では、シリンジ12上のシリンジ保持部材32の数は、カバープレート72の側壁100上の第1陥凹102の数より少なくてもよい。このような例では、シリンジ12上のシリンジ保持部材32は、各シリンジ保持部材32がカバープレート72上の対応する第1陥凹102と位置合わせされ得るように、シリンジバレル18の外周に沿って離間していてもよい。別の例では、シリンジ12上のシリンジ保持部材32の数は、2つ以上のシリンジ保持部材32が少なくとも1つの第1陥凹102内に受容されるように、カバープレート72の側壁100上の第1陥凹102の数よりも多くてもよい。
【００６４】
陥凹102の間の開口73の側壁100は、シリンジポート16内へのシリンジ12の挿入中にシリンジポート16との自己配向アライメントに向けてシリンジ保持部材32を係止リング76に向かって案内するように構成されている。側壁100は、第1案内部材104が各対の陥凹102の間に位置決めされるように配置された、少なくとも1つまたは複数の第1案内部材104を有する。各第1案内部材104の幅は、隣接するシリンジ保持部材32の間のシリンジバレル18の側壁の幅と同じかまたはこれより狭くてもよい。各第1案内部材104は、シリンジポート16内へのシリンジ12の挿入中にシリンジ保持部材32を係止リング76に向かって案内するための1つ以上の案内表面を有する。このようにして、第1案内部材104は、係止リング76との自己配向アライメントに向けてシリンジ12を案内する。いくつかの例では、各第1案内部材104は、第1案内部材104の両側の第1陥凹102に向かって傾斜または角度付けされた、1つ以上の案内ランプ106a、106bを有してもよい。たとえば、図7Aに示されるように、第1案内ランプ106aは、第1案内部材104の頂点108から第1案内部材104の片側の第1陥凹102に向かって第1の方向に延在してもよく、第2案内ランプ106bは、頂点108から第1案内部材104の反対側の第1陥凹102に向かって第2の方向に延在してもよい。第1シリンジ保持部材32aなどのシリンジ保持部材32は、シリンジ保持部材32が陥凹102と位置合わせされないようにシリンジ12が配向されている場合に、第1案内ランプ106aまたは第2案内ランプ106bのうちの1つを頂点44および／または案内表面42aと係合させるように構成されている。第1シリンジ保持部材32aの頂点44および／または案内表面42aは、第1案内ランプ106aまたは第2案内ランプ106bに沿って移動するように構成されており、これにより、縦軸15の周りでシリンジバレル18を回転させる。このようにして、縦軸15の周りの方向の角度ずれなどによって対応する1つ以上の第1陥凹102に対して元々ずれていたシリンジ保持部材32は、1つ以上の案内ランプ106a、106bによって1つ以上の第1陥凹102と位置合わせさせられ、これによりシリンジ保持部材32が第1陥凹102内に挿入され得る。
【００６５】
第1および第2案内ランプ106a、106bは、頂点108に対して等しいかまたは等しくない傾斜角を有することができる。等しくない角度を有する特定の実施形態では、角度は、第1陥凹102内に挿入されたときにシリンジが特定の方向（すなわち、時計回りまたは反時計回り）に回転させられる確率を高める比率であってもよい。加えて、第1および第2案内ランプ106a、106bは同じかまたは異なる長さを有することができる。いくつかの例では、第1案内部材104は、シリンジバレル18の縦軸15が開口73の縦軸と同軸になるようにシリンジ12を開口73内に案内するように構成された、頂点108の面取り110を有してもよい。
【００６６】
引き続き図7Aを参照すると、係止機構35は、内側側壁111と共に実質的に環状の形状を有する係止リング76をさらに含む。係止リング76は、カバープレート72の開口73と同軸であり、カバープレート72の近位に位置決めされている。本明細書で論じられるように、係止リング76はその縦軸の周りで回転的に移動可能であり、カバープレート72およびハウジング70に対して軸方向に固定されている。係止リング76は、付勢機構88（図5に示される）によって特定の配向に付勢されてもよい。係止リング76は、複数の第2陥凹114を有する。各第2陥凹114は、シリンジ12の挿入セクション30が係止機構35内に挿入および係止されたときに、シリンジ12のシリンジ保持部材32のうちの1つ以上を受容するように構成されている。1つ以上の第2陥凹114は、係止リング76の内側側壁111の円周の周りに配置され、内側側壁111内に径方向に延在する。隣接する第2陥凹114は、第2案内部材116によって互いに分離されている。係止リング76は、第2案内部材116の数と等しいかまたは等しくない数の第2陥凹114を有することができる。シリンジ12が存在しないときなど、係止リング76の第1位置において、第2陥凹114は、第1案内部材104のすぐ下に位置決めされる。係止リング76のこの同じ位置において、第2案内部材116の第1の部分は第1陥凹102のすぐ下に位置決めされ、第2案内部材116の第2の部分は第1案内部材104のすぐ下に位置決めされる。
【００６７】
引き続き図7Aを参照すると、第2案内部材116は、停止表面118、上面120、およびランプ表面122を有する。停止表面118は、シリンジ保持部材32が第2陥凹114内に位置決めされたときにシリンジ保持部材32の側面40a、40b、40cと係合するように構成されている。第2案内部材116の停止表面118は、シリンジ12が係止機構内に係止されたときに係止機構35に対するシリンジ12の回転を防止する。停止表面118は、シリンジ12が係止機構35と係合したときにシリンジ12の縦軸15と実質的に平行であってもよい。いくつかの例では、停止表面118は、シリンジ12の縦軸15に対して角度付けられてもよい。さらなる例では、停止表面118は、上面120に接続されてもよく、またはそこから切り離されてもよい。停止表面118は、平面状、セグメント状、弓状、湾曲、またはこれらの組み合わせであってもよい。いくつかの例では、停止表面118は、停止表面118を共に画定する複数の個々の部分を有してもよい。停止表面118の複数の個々の部分は、平面状、セグメント状、弓状、湾曲、またはこれらの組み合わせであってもよい。
【００６８】
引き続き図7Aを参照すると、上面120は、シリンジ12が係止機構35と係合したときにシリンジ12の縦軸15に対して実質的に垂直であってもよい。本明細書に記載されるように、第2案内部材116の上面120は、近位方向へのシリンジ12の移動が係止リング76の回転を引き起こすまで第2陥凹114へのアクセスを防止するために、第1陥凹102の底部に位置決めされている。上面120は、第1案内部材104の底縁から近位方向に離間していてもよい。上面120は、1つ以上の安全キャッチ124、126を有してもよい。いくつかの例では、第1安全キャッチ124は、停止表面118と接続する上面120の末端に位置決めされてもよい。第1安全キャッチ124は、第1案内部材104の底面と第2案内部材116の上面120との間の空間内への、シリンジ12の任意の部分またはその他の物体の挿入を防止する。第2安全キャッチ126は、ランプ表面122と接続する上面120の末端に位置決めされてもよい。いくつかの例では、第2安全キャッチ126は、第2安全キャッチ126が、第1安全キャッチ124と、上面120とランプ表面122との間の遷移点との間に位置決めされるように、上面120とランプ表面122との間の遷移点からずれていてもよい。第2安全キャッチ126は、ランプ表面122に向かう方向に角度付けられた傾斜部分130を有してもよい。このようにして、第1シリンジ保持部材32の頂点44および／または案内表面42aなどのシリンジ保持部材32が第2安全キャッチ126と接触するとき、第2安全キャッチ126の傾斜部分130は頂点44および／または案内表面42aをランプ表面122に向かって案内する。いくつかの例では、上面120は、停止表面118および／またはランプ表面122に接続されてもよく、またはそこから切り離されてもよい。上面120は、平面状、セグメント状、弓状、湾曲、またはこれらの組み合わせであってもよい。いくつかの例では、上面120は、上面120を共に画定する複数の個々の部分を有してもよい。上面120の複数の個々の部分は、平面状、セグメント状、弓状、湾曲、またはこれらの組み合わせであってもよい。
【００６９】
引き続き図7Aを参照すると、ランプ表面122は、上面120に接続されてもよく、またはそこから切り離されてもよい。1つの第2案内部材116のランプ表面122の近位端は、隣接する第2案内部材116の停止表面118と接続する。ランプ表面122は、平面状、セグメント状、弓状、湾曲、またはこれらの組み合わせであってもよい。いくつかの例では、ランプ表面122は、ランプ表面122を共に画定する複数の個々の部分122a、122bを有してもよい。ランプ表面122の個々の部分122a、122bは、互いに対して異なる長さおよび／または勾配を有してもよい。ランプ表面122の個々の部分122a、122bは、平面状、セグメント状、弓状、湾曲、またはこれらの組み合わせであってもよい。
【００７０】
シリンジ12、シリンジ保持部材32、および係止機構35の構造について記載してきたが、ここで図7Aから図8Dを参照して、係止機構35に対してシリンジ12を係止または解除するためにシリンジポート16に対してシリンジ12を挿入および取り外しする方法が記載される。図7Aから図7Hは、係止機構35を使用してシリンジ12を係止するためのシリンジポート16内へのシリンジ12の挿入中の、シリンジ12および係止機構35の係止リング76の一連の動きを示す。図8Aから図8Dは、係止機構35からシリンジ12を解除するためのシリンジポート16内からのシリンジ12の取り外し中の、シリンジ12および係止機構35の係止リング76の一連の動きを示す。以下の議論は係止機構35の第1および第2案内部材104、116に対する単一の第1シリンジ保持部材32aの動きに焦点を当てているが、残りのシリンジ保持部材32も対応するやり方で動くことは、理解されるべきである。
【００７１】
シリンジ12をシリンジポート16内に挿入するために、シリンジ12の挿入セクション30は、カバープレート72上のシリンジポート16を画定する開口73内に挿入される。第1案内部材104の面取り110は、シリンジバレル18の縦軸15を開口73の縦軸と自己位置合わせする。このようにして、シリンジ12は開口73と、したがって係止機構35と、同軸に位置合わせされることが可能である。シリンジ12上の第1シリンジ保持部材32aがカバープレート72上の第1陥凹102に対して元々ずれていた場合（すなわち、第1シリンジ保持部材32aが第1陥凹102内への挿入のために位置合わせされていない場合）、各第1案内部材104の案内ランプ106a、106bは、第1または第2案内ランプ106a、106bに沿った第1シリンジ保持部材32aの摺動により、シリンジ12を第1陥凹102との自己配向アライメントに向かって回転的に案内する（図7A）。第1シリンジ保持部材32aの頂点44および／または案内表面42aは、第1シリンジ保持部材32aが第1陥凹102と位置合わせされるまで、第1または第2案内ランプ106a、106bに沿って案内され（図7B）、頂点44が第1または第2案内ランプ106a、106bに到達して、第1シリンジ保持部材32aが第1陥凹102内に落ち込む（図7C）。第2安全キャッチ126の傾斜部分130は、第1シリンジ保持部材32aの頂点44および／または案内表面42aをランプ表面122に向かって案内してもよい。この段階で、シリンジ12は係止機構35と自己位置合わせされているが、しかしシリンジは係止機構35と係止されておらず、第1陥凹102から第1シリンジ保持部材32aを引き出すことによって自由に取り外されることが可能である。
【００７２】
図7Dを参照すると、係止機構35でシリンジ12を係止するために、シリンジ12は、係止リング76に向かって矢印Aの方向へ近位に移動させられる。係止リング76に対するシリンジ12の近位への移動は、第1シリンジ保持部材32aの頂点44および／または案内表面42aを係止リング76のランプ表面122に接触させる。係止リング76はシリンジ12の移動方向へ軸方向に移動できないので、第1シリンジ保持部材32aの頂点44および／または案内表面42aと係止リング76のランプ表面122との間の垂直力成分により、係止リング76はその縦軸の周りで回転する。この垂直力は、付勢機構88（図5に示される）の付勢力に対抗して作用し、係止リング76を図7Eに示される矢印Bの方向に回転させる。
【００７３】
シリンジ12の近位方向への継続的な移動は、係止リング76を矢印Bの方向に回転させ、これによって第1シリンジ保持部材32aを第1陥凹102から第2陥凹114まで移動させる。第1シリンジ保持部材32aの頂点44および／または案内表面42aが係止リング76の第2案内部材116のランプ表面122に沿って移動すると、シリンジ12は、第1シリンジ保持部材32aの頂点44がランプ表面122の底部に係合するまでシリンジポート16内に近位方向に挿入される（図7F）。この位置では、第1シリンジ保持部材32aの側面40aは、停止表面118に接触してもよい。シリンジバレル18に対する近位方向の力が解放されると、付勢機構88（図5に示される）は係止リング76を係止リング76の第1位置に向かって矢印Cの方向に押しやる。この移動中、第1シリンジ保持部材32aの上面38aは、第1案内部材104の底面132の近位に位置決めされる。係止リング76がその第1位置に戻るとき、第1シリンジ保持部材32aは、第1シリンジ保持部材32aの上面38aが第1案内部材104の底面132から近位に位置決めされ、第1シリンジ保持部材32aの側面40aが第2案内部材116の停止表面118に隣接した状態で、第2陥凹114内に位置決めされる（図7G）。この第1位置では、シリンジ12は、シリンジポート16からのシリンジバレル18の引き出しを防止する係止機構35で係止されている。いくつかの例では、係止リング76は、シリンジ12を係止機構35で係止するために、シリンジバレル18を約30°回転させてもよい。
【００７４】
シリンジ12をシリンジポート16から解除するために、シリンジバレル18は、図8Aに示されるように、縦軸15の周りで矢印Dの方向に回転させられる。シリンジバレル18の回転運動は、付勢機構88（図5に示される）の復元力に対抗する。矢印Dの方向へのシリンジバレル18の回転運動の間、第1シリンジ保持部材32aの頂点44および／または案内表面42aは、第1シリンジ保持部材32aのベース面38aが第1案内部材104の底面132からなくなるとすぐに、第2案内部材116のランプ表面122に沿って遠位に移動する（図8B）。シリンジバレル18は、第1シリンジ保持部材32aの頂点44および／または案内表面42aと第2案内部材116のランプ表面122との相互作用により、図8Cに示される矢印Eの方向に排出される。シリンジバレル18は、第1案内部材104によって提供される排出の間、付勢機構88の復元力の遠位の垂直力成分および軸方向の案内およびシリンジ回転防止により、矢印Eの方向で遠位に移動し続ける。シリンジバレル18は、シリンジバレル18が約30°などの所定の角回転だけ回転したときに、係止機構35から遠位方向に自己排出する（図8C）。シリンジ12が係止リング76との係合から排出されてシリンジポート16から取り外されると、付勢機構88（図5に示される）の復元力は、シリンジ12のその後の挿入に備えて図8Dに示される矢印Eの方向に回転することによって、係止リング76をその第1位置に戻す。
【００７５】
図9を参照すると、係止機構35は、シリンジバレル18および／またはプランジャ26の動きを制限するように構成されたガード140を有してもよい。たとえば、ガード140は、シリンジポート16内へのシリンジ12の挿入中に、近位方向へのシリンジバレル18の移動を制限することができる。あるいは、または付加的に、ガード140は、プランジャ26が注入器10（図1に示される）のピストン（図示せず）と係合したときに、近位方向へのシリンジプランジャ26の移動を制限することができる。いくつかの例では、ガード140の代替または追加機構として、挿入中にシリンジバレル18の移動を制限するために、ドリップフランジ36が使用されてもよい。ドリップフランジ36は、シリンジ12がシリンジポート16内に完全に挿入されたときに、カバープレート72の上面と係合してもよい。
【００７６】
引き続き図9を参照すると、ガード140は、シリンジバレル18の近位端20の少なくとも一部を受容するように構成されたクレードル142を有してもよい。いくつかの例では、クレードル142は、シリンジバレル18の円周の少なくとも一部の周りに延在してもよい。クレードル142は、シリンジバレル18の内面23および外面21の少なくとも一部をそれぞれ包囲する、内側側壁144aおよび外側側壁144bを有してもよい。いくつかの例では、クレードル142の底面146は、シリンジ12がシリンジポート16内に完全に挿入されたときに、シリンジバレル18の近位端20において端面148と接触してもよい。クレードル142の内側側壁144aの上面150は、シリンジバレル18内のプランジャ26の近位への移動を区切るように位置決めされている。たとえば、内側側壁144aの上面150は、プランジャ26の近位方向へのさらなる移動を防止するために、プランジャ26の底面または近位面と係合してもよい。このようにして、プランジャ26と、シリンジバレル18の近位端20内に位置決めされ得る注入器10の構成要素152との間の干渉が、防止される。
【００７７】
本開示は、現在最も実用的で好適な例と見なされるものに基づいて、説明目的のために詳細に記載されてきたが、このような詳細はその目的のみのためであること、ならびに本開示は開示された例に限定されず、むしろ修正例および同等の配置を網羅するように意図されることは、理解されるべきである。たとえば、本開示は、可能な限り、任意の例の1つ以上の特徴が任意の他の例の1つ以上の特徴と組み合わせ可能であることを企図することは、理解されるべきである。
【符号の説明】
【００７８】
10  注入器
12  シリンジ
14、70  ハウジング
15  縦軸
16  シリンジポート
17  流体経路セット
18  バレル
19  側壁
20  近位端
21  外面
22  ノズル
23  内面
24  遠位端
25  内部容積
26  プランジャ
30  挿入セクション
32、32a〜c  シリンジ保持部材
35  係止機構
36  ドリップフランジ
38a〜c  ベース面
40a〜c  側面
42a  案内表面
44、108  頂点
46、120、150  上面
48  陥凹
49  補強リブ
72  カバープレート（フェースプレート）
73  （中央）開口
74  印
76  係止リング
78  ベースプレート
80  ファスナ
80a  ボルト
80b  ナット
82  バーコードリーダシステム
84  識別タグ
84、86  センサ
88  付勢機構
90  バネ
92  ストップ
94  タブ
96  センサピックアップ
100  接続インターフェース
102  第1陥凹
104  第1案内部材
106a、106b  案内ランプ
110  面取り
111、144a  内側側壁
114  第2陥凹
116  第2案内部材
118  停止表面
122  ランプ表面
122a、122b  個々の部分
124、126  安全キャッチ
130  傾斜部分
132、146  底面
140  ガード
142  クレードル
144b  外側側壁
148  端面
152  構成要素
F  流体
【図１】
2019130312.tif 000003
【図２Ａ】
2019130312.tif 000004
【図２Ｂ】
2019130312.tif 000005
【図３】
2019130312.tif 000006
【図４】
2019130312.tif 000007
【図５】
2019130312.tif 000008
【図６】
2019130312.tif 000009
【図７Ａ】
2019130312.tif 000010
【図７Ｂ】
2019130312.tif 000011
【図７Ｃ】
2019130312.tif 000012
【図７Ｄ】
2019130312.tif 000013
【図７Ｅ】
2019130312.tif 000014
【図７Ｆ】
2019130312.tif 000015
【図７Ｇ】
2019130312.tif 000016
【図７Ｈ】
2019130312.tif 000017
【図８Ａ】
2019130312.tif 000018
【図８Ｂ】
2019130312.tif 000019
【図８Ｃ】
2019130312.tif 000020
【図８Ｄ】
2019130312.tif 000021
【図９】
2019130312.tif 000022
【外国語明細書】
2019130312000001.pdf